(57)【要約】【課題】  カードリーダにおいて、カード不正盗用などを有効に防止する。【解決手段】  カードリーダ内部にカード状媒体Ｃが存在せず、シャッタ４が閉じた状態を待機状態として監視する。その待機状態から、カード状媒体Ｃが新たにカード挿入口から挿入された形跡も無いのに（カード挿入無検出）、シャッタ４が不正行為で無理に開かれた場合、検出時間計測部２１はシャッタ開閉センサ６による検出中の実測検出時間ｔ、つまりシャッタ４が開き放しになっている時間ｔを計測し続ける。この実測検出時間ｔと規定検出時間Ｔとを比較し、実測検出時間ｔが規定検出時間Ｔを超えると、異常判定部２２は異常発生と判断し、上位装置の指示を待つことなく、異常対応部３０にその異常に即応するよう指示する。異常対応部３０は作動して不正者に対してトラップなど仕掛けてカード不正詐取するのを断念させる。【選択図】図２
2006155390.tif 000002
【特許請求の範囲】
【請求項１】
カード挿入口にカードリーダ内部へのカード状媒体の取り込みを許容する開閉自在なシャッタが設けられ、カード状媒体が正規のものであるときにカードリーダ内部に取り込んで所定の処理を行うように構成してなるカードリーダにおいて、
カード状媒体が前記カードリーダ内部に存在せずかつ前記シャッタが閉じた状態の待機状態で、前記カード挿入口からカード状媒体が新たに挿入されたという検出も無く、前記シャッタが開けられたことをシャッタ開閉検出手段が検出したときは、制御手段が異常発生と判断して異常処理を行うようにしたことを特徴とするカードリーダ。
【請求項２】
前記制御手段は、前記シャッタ開閉検出手段による検出時間を予め設定した規定検出時間Ｔと前記シャッタの開時に計測された実測検出時間ｔとを比較して、規定検出時間Ｔを実測検出時間ｔが超えたとき異常発生と判断する異常判定部を有するとともに、この異常判定部からの指示で異常に対応する異常対応部を有することを特徴とする請求項１に記載のカードリーダ。
【請求項３】
前記異常対応部は、異常メッセージを画面表示して通知する表示部、異常を報知する警報部および前記シャッタを緊急閉鎖作動させるシャッタ非常閉鎖部の少なくとも１つで構成されることを特徴とする請求項１または２に記載のカードリーダ。
【発明の詳細な説明】
【技術分野】
【０００１】
本発明は、クレジットカードなどのカード状記録媒体（以下、カード状媒体と呼ぶ）に記録されたカード情報に基づいて処理するカードリーダに関し、さらに詳しくは、カード状媒体の不正盗用を防止する機能を備えたカードリーダに関する。
【背景技術】
【０００２】
一般に、ＡＴＭ装置（現金自動預け払い機）や自動販売機などに装備されたカードリーダは、カード挿入口から挿入されたカード状媒体の磁気記録領域などに記録された情報を読み取り処理、または書き込み処理をしてカード取引を行うための装置である。そうしたカードリーダは、カード挿入口から挿入されたカード状媒体が正規カードであることを検出すると、シャッタを開いてシャッタ内側にそのカード状媒体を取り込む。そして、取り込み後、シャッタを閉じる。その取り込みの際、シャッタが開かれると、駆動源のモータを起動させてカード搬送系を作動させ、カード状媒体を搬送ベルト上に取り込んで搬送中の位置をカード検出センサで検出しながら、カード情報を読み取りまたは書き込みを行う磁気ヘッドまで搬送してカード取引を実行する。通常、シャッタは、カード状媒体が搬送途中で詰まった（ジャム）ような場合、カード挿入口を閉塞することでその詰まったカード状媒体が悪意の第三者によって引き抜かれて不正盗用されるのを防止し（例えば特許文献１参照）、また悪戯によってカード挿入口から棒状の異物が挿入されてカード搬送系が損傷を受けるのを防止する防護機能を果たす（例えば特許文献２参照）。
【０００３】
カード不正盗用を防止する防護機能を備えた従来のカードリーダとして次の構造も周知である。カード取引終了後にカード挿入口まで返却されてきたカードを顧客が取り忘れ、そのまま放置された状態になることがある。その場合次の顧客が取引できず、また不正者がその取り忘れカードを引き抜いて盗用するおそれがある。そうしたトラブルを防止するため、カード取り忘れによる放置状態が一定時間経過すると、カードリーダ装置内に設けたカード回収容器にその取り忘れカードを回収し、回収後はシャッタが閉じて次のカード取引まで待機状態となる。
【０００４】
ところで、カード挿入口から挿入される異物は上記のような悪戯を目的とした棒状のものばかりではなく、搬送途中で詰まったカードやカード回収容器内の回収カードを不正詐取するために仕掛けられるトラップ（罠）である場合がある。トラップは予め不正者がカード取引を装ってカード挿入と一緒に挿入したり、また閉じて待機状態のシャッタを無理矢理こじ開けて仕掛けられる場合がある。仕掛けられたトラップが硬質の物体の場合は、シャッタがそのトラップを踏んだ格好になって完全に閉じきらないことで、異常が発生したことを検出することができる。しかし、トラップが軟質で薄いシート状の場合は、シャッタがそのシート状トラップの上から閉じてしまうので、トラップが仕掛けられたことの異常を検出できない。その結果、その後の取引で取り込まれたカード状媒体やカード回収容器内の回収カードをそのトラップで不正詐取するのを許してしまうおそれがある。
【０００５】
上記特許文献２の場合、カード挿入口から挿入されたカード状媒体を取り込んだ状態であるにもかかわらず、シャッタが開き放しになっておれば、カード取り込み時に一緒にトラップが仕掛けられているかも知れないとの予測に基づいて、カードリーダの制御系は異常発生と判断してその旨の警告を上位装置に通知し、その上位装置から指示を待って待機するようになっている。
【０００６】
【特許文献１】特開平１３−２２２６８６号公報
【特許文献２】特開平１１−３９４３４号公報
【発明の開示】
【発明が解決しようとする課題】
【０００７】
しかしながら、特許文献２を含む従来のカードリーダにあっては、トラップを仕掛けたことなどによる異常発生を上位装置に通報し、上位装置から指示されるまで対応待ち状態になって、カードリーダ自らは異常に対応しない。結果、そうした対応待ち中に不正者によるカード詐取を許してしまうおそれがある。
【０００８】
したがって、本発明の目的は、異常発生時に自ら対応してカード不正盗用を未然に防止できるようにしたカードリーダを提供することにある。
【課題を解決するための手段】
【０００９】
請求項１に記載の発明によれば、カードリーダは、カード挿入口にカードリーダ内部へのカード状媒体の取り込みを許容する開閉自在なシャッタが設けられ、カード状媒体が正規のものであるときにカードリーダ内部に取り込んで所定の処理を行うように構成されたものにおいて、カード状媒体が前記カードリーダ内部に存在せずかつ前記シャッタが閉じた状態の待機状態で、前記カード挿入口からカード状媒体が新たに挿入されたという検出も無く、前記シャッタが開けられたことをシャッタ開閉検出手段が検出したときは制御手段が異常発生と判断して異常処理を行うようにしている。
【００１０】
したがって、この請求項１記載のカードリーダは、カードリーダ内部にカード状媒体が取り込まれておらず、存在していない状態でしかもシャッタが閉じた状態を待機状態とする。この待機状態において、カード挿入口からカード状媒体が新たに挿入されたという検出が無いのに、シャッタが開かれたことをシャッタ開閉検出手段が検出した場合、制御手段はそれを異常発生と判断し、上位装置などからの指示を待つことなく、自ら異常に対処する。
【００１１】
また、請求項２に記載のカードリーダは、制御手段はシャッタ開閉検出手段による検出時間を予め設定した規定検出時間Ｔとシャッタの開状態時に実際に検出中の実測検出時間ｔとを比較して、規定検出時間Ｔを実測検出時間ｔが超えたとき異常発生と判断する異常判定部を有するとともに、この異常判定部からの指示で異常に対応する異常対応部を有する。
【００１２】
したがって、この請求項２記載のカードリーダは、待機状態からシャッタが開かれると、それを検出するシャッタ開閉検出手段の検出時間が計測される。この実測検出時間ｔが予め設定した規定検出時間Ｔよりも長く、つまりシャッタが異常に開き放しになっておれば、異常判定部はそれを不正行為などによる異常発生と判断し、異常対応部に指示を送ってしかるべき異常に対応させる。この場合、請求項１で示したように、待機状態からカード状媒体が新たに挿入されたという形跡が無いのに、シャッタが異常に長く開かれておれば、不正者がトラップなどの異物を仕掛けるために、シャッタを無理にこじ開けるなどした異常と判断し、異常対応部を作動させて、カードが不正詐取されないように不正行為を断念させ、周囲には異常発生した旨を知らしめる。
【００１３】
また、請求項３に記載のカードリーダは、異常対応部による異常対応処理が異常メッセージを画面表示して通知する表示部、異常を報知する警報部および前記シャッタを緊急閉鎖作動させるシャッタ非常閉鎖部の少なくとも１つによって構成されるようにしている。
【００１４】
したがって、この請求項３に記載のカードリーダは、異常判定部から異常に対応するよう指示された異常対応部は、例えばカードリーダ機体に表示部として表示画面が設けられていれば、その画面に異常発生した旨のメッセージを表示することで周囲に注意を促す。その場の不正者に対しては、不正行為を感知したことを知らしめ、不正行為を止めるよう喚起する。また、例えばカードリーダ機体にブザーが鳴動する警報部が設けられていれば、その警報部を鳴らして周囲に警報し、また不正行為を止めさせる。また、例えばカードリーダ機体にシャッタ非常閉鎖部が設けられている場合、緊急作動信号を駆動系に送信してシャッタを緊急閉鎖動させることで、それ以上の不正行為をできないようにする。以上のような表示部、警報部およびシャッタ緊急閉鎖部のどれか１つを設けて異常対応部を構成する他、それら３つの対応部の幾つかを組み合わせて異常対応部として対応させる。
【発明の効果】
【００１５】
したがって、請求項１に記載のカードリーダによれば、平常時の待機状態から、カード状媒体が新たにカード挿入口から挿入されたという形跡も無いのに、シャッタが開かれたならば、即座にそれを異常発生と判断して、上位装置からの指示を待つことなく、異常対応部を作動させて自らその異常に対応し、不正行為によるカード詐取などを未然に防止するのに有効である。
【００１６】
また、請求項２に記載のカードリーダによれば、制御手段はシャッタが時間的にいつまで開き放し状態になっているか、規定検出時間Ｔか超えたかどうか監視を続け、規定検出時間Ｔを超えてなおかつシャッタが開いておれば、異常判定部はそれを異常発生と判断して異常対応部に指示し、不正者によるトラップ仕掛けなど不正行為が実行されないような処置をとることで、その後に取り込まれたカード状媒体が詐取されないよう未然に防止できる。
【００１７】
また、請求項３に記載のカードリーダによれば、表示部、警報部、シャッタ非常閉鎖部の少なくともどれか１つを作動させることにより、周囲に注意を促し、また不正者当人にはそれ以上不正行為を働くのを止めさせることができる。
【発明を実施するための最良の形態】
【００１８】
以下、本発明の構成を図面に示す最良の形態に基づいて詳細に説明する。
【００１９】
図１〜図３において、本発明によるカードリーダの一実施形態を示す。このカードリーダは、本体１のハウジング前部に顧客がクレジットカードなどカード状媒体Ｃを挿入するカード挿入口２が設けられている。カード挿入口２から本体内部へ延びるカード搬送路には、挿入されたカード状媒体Ｃが磁気カードである場合、記録部の磁気ストライプに対面できる位置にカード検出用の磁気ヘッド３が転圧ローラと上下対向する位置に設けられている。また、そのカード検出用磁気ヘッド３による検出結果からカード状媒体Ｃが本来の正規カードではなく、不正カードであると判断された場合は閉状態を維持してそれ以上カードリーダ内部へのカード取り込みを阻止するシャッタ４が設けられている。挿入されたカード状媒体Ｃが正規カードならば、それを検知してシャッタ４は開き、その正規のカード状媒体Ｃの通過を許容する。また、平常時にシャッタ４を開閉動させる駆動源ソレノイド５が設けられ、このソレノイド５は平常時だけでなく異常発生時にもシャッタ４を緊急閉鎖させる本発明でいうシャッタ非常閉鎖部として機能するよう設定することができる。
【００２０】
また、シャッタ４から内側のカードリーダ内部にはカード搬送路に沿って搬送ベルト７が配設され、この搬送ベルト７をカード搬送方向へ走行させるカード送り用駆動源であるモータ８が設けられている。また、モータ８の出力軸８ａから出力された回転を設定回転速度に減速して搬送ベルト７に伝達するために、減速装置、プーリ９、搬送ローラ１０〜１２の原動ローラ１０ａ，１１ａ，１２ａ、そしてベルト張力調整用テンションローラ１３，１４などのカード搬送系部材が配設されている。図中符号１０ｂ，１１ｂ，１２ｂは原動ローラ１０ａ，１１ａ，１２ａに対をなす従動ローラである。搬送ローラ１１と対向する位置には、搬送されてきたカード状媒体Ｃに記録されている磁気記録領域（磁気ストライプなど）のカード情報を読み込んだり、書き込んだりする磁気ヘッド１５が配置されている。
【００２１】
かかるカード搬送路には、カード搬送系の各部材の作動を検出する以下の検出手段が配置されている。
【００２２】
シャッタ４の近傍には、このシャッタ４が開いているか閉じているかを検出する例えば光学式フォトカプラなどによるシャッタ開閉センサ６が配置されている。また、搬送ローラ１０〜１２に対応する位置には、それら各ローラをカード状媒体Ｃが例えば通過したかどうかでカード有無を検出するカード検出センサ１６，１７，１８が配置されている。これらカード検出センサ１６〜１８には、発光素子と受光素子のダイオードからなるフォトセンサを用いることもできるし、マイクロスイッチなどのスイッチ手段を用いることができる。また、カード検出センサ１６〜１８の他にも、カード検出手段として、カードリーダ本体１の内部に設置されているカード回収容器（図示省略）に回収されたカード状媒体Ｃの有無を検出する回収カード検出センサ（図示省略）が設けられている。また、モータ８の出力軸８ａと同軸上には、モータ回転速度を検出する手段としてエンコーダなどのモータ回転速度検出手段（図示省略）が配置されている。但し、以上のようなフィードローラやカード検出センサの設置数に限定されるものではない。
【００２３】
本発明でいう制御手段の主要部をなすＣＰＵ（中央処理装置）２０が設けられ、上記カード搬送系の各部材やセンサなどで構成されたカードリーダ全体の制御を司り、制御部および演算部に含まれる検出時間計数部２１と異常判定部２２を有し、記憶部であるＲＯＭやＲＡＭに読み込みかつ書き込む情報やデータを送り、それら情報やデータを読み出して演算処理などを実行し、必要な部材に作動信号や命令信号を入出力部のＩ／Ｏポートから入出力して送受信可能となっている。例えば、ＣＰＵ２０には、カード挿入口２の近傍に設けられた上記カード検出用磁気ヘッド３からの検出信号が送信されて正規のカードか不正カードかを判定したり、また上記カード検出センサ１６〜１８から検出信号を受け取り、それら各センサ間距離はカード状媒体Ｃのカード長さ寸法と同等かそれに近い長さに設定されているので、カード先端部とカード後端部を検出する時間経過などを検出することで、ＣＰＵ２０はそのカード状媒体Ｃのカード長さを演算部で算出可能であり、正規カードか不正カードかを判定可能となっている。
【００２４】
検出時間計数部２１は、シャッタ４が開かれた際、シャッタ開閉センサ６がどれくらいの時間検出し続けるか、つまりシャッタ４がどれくらいの時間開かれているか、シャッタ開閉センサ６が開始してからの実測検出時間ｔをカウントし、それを逐一異常判定部２２に送信して通知するようになっている。異常判定部２２は、検出時間計数部２１から送られてきた実測検出時間ｔと、予め設定してＲＯＭに記憶されている規定検出時間Ｔとを比較し、実測検出時間ｔが規定検出時間Ｔ内かまたは超えているかをチェックし、実測検出時間ｔが規定検出時間Ｔを超えてシャッタ４が異常に長く開いた状態になっておれば、異常発生と判断して異常対応部３０に対してしかるべき対応を実行させる作動指示の信号を送信するようプログラムされている。
【００２５】
そのようにＣＰＵ２０の異常判定部２２から指示を受ける異常対応部３０としては、表示部３１、警報部３２およびシャッタ非常閉鎖部３３のいずれか１つ、あるいはそれらの幾つかを組み合わせて構成することができる。
【００２６】
表示部３１は、カードリーダ本体１の適所に設けるか、あるいはカードリーダ本体１が組み込まれたＡＴＭ装置などの機体に例えばＬＣＤ（液晶表示装置）などで設けることができ、ＣＰＵ２０の異常判定部２２から指示された作動指示信号によって、カードリーダ本体１に異常が発生したことを文字メッセージなどで表示させることができる。この表示部３１は、当カードリーダがホストコンピュータなどの上位装置に送受信可能に接続されている場合、その上位装置のモニタ画面やディスプレイ画面に異常発生した旨を表示させて通知できるよう、上位装置側に設けることもできる。
【００２７】
警報部３２は、カードリーダ本体１、ＡＴＭ装置、あるいは上位装置のどれかに取り付けることができ、ＣＰＵ２０の異常判定部２２からの指示信号でアラームブザーを鳴動させたり、ＬＥＤランプを点滅させるなどして異常発生を警報するように構成することができる。
【００２８】
また、シャッタ非常閉鎖部３３としては、上記したシャッタ開閉用ソレノイド５を利用することができ、平常作動している当該ソレノイド５に対して非常作動信号がＣＰＵ２０の異常判定部２２から送られた際、シャッタ４を緊急に下ろして閉鎖作動させる機能を備えさせることができる。
【００２９】
次に、上述したカードリーダの動作を説明する。
【００３０】
ＡＴＭ装置用などとしてカードリーダの平常作動時、店頭にて顧客がクレジットカードやプリペイカードなどの磁気カード方式のカード状媒体Ｃをカード挿入口２から挿入すると、カード検出磁気ヘッド３によってそのカード状媒体Ｃの磁気ストライプが検出される。磁気ストライプの検出によってそのカード状媒体Ｃが正規カードと判断されると、その旨の信号に基づいてＣＰＵ２０はソレノイド５を起動させてシャッタ４を開く。シャッタ開放により、カード状媒体Ｃはさらに装置内部へと顧客の手動で押し込まれ、これに同期してモータ８が起動して出力軸８ａからプーリ９、搬送ベルト７などに伝達されてフィードローラ１０〜１２を正回転方向へ回転させ、カード状媒体Ｃを読み取りまたは書き込んでカード情報を取得するための磁気ヘッド１５の位置まで搬送する。カード状媒体Ｃのカード情報に基づいてカード取引終了後、カード状媒体Ｃは逆送して戻されてカード挿入口２から顧客に返却される。
【００３１】
返却されてきたカード状媒体Ｃが、顧客の取り忘れでカード挿入口２に放置された状態になることがある。次の顧客はカード取引をできず、また悪意の第三者によって盗用されてしまう危険がある。それを防ぐために、取り忘れカードがある程度の時間そのまま放置状態にされると、カード状媒体Ｃは順送されてカードリーダ本体１奥側のカード回収容器に回収される場合がある。
【００３２】
また、カード状媒体Ｃが、カード検出センサ１６〜１８の各センサによる検出でカード搬送系の搬送路上に詰まって異常停止（ジャム）となる場合がある。
【００３３】
一方、そうしたトラブルも無くシャッタ４が平常通り閉じた状態にあり、またカード回収箱内にも回収されたカードが存在していない場合、そうした情報は信号によってＣＰＵ２０に通知され、かくして次の顧客によるカード取引まで待機状態となる。
【００３４】
次に、かかる待機状態から異常が発生した場合、その対応処理の流れを図３の動作フローチャートで説明する。
【００３５】
待機状態において（ステップ：Ｓ１）、他人のカード盗用を意図して不正者がシャッタ４をこじ開けてトラップを予め機体内に入れ込んで工作することがある。ステップＳ４において、シャッタ開閉センサ６はシャッタ４が開かれたか否かを検出し、不正者がトラップを仕掛けるためにシャッタ４がこじ開けられたような場合、それをシャッタ開閉センサ６が検出する（Ｙｅｓ）。
【００３６】
すなわち、カード状媒体Ｃがカードリーダ内部に存在していない待機状態であるにも拘わらず（ステップ：Ｓ２）、また新たにカード状媒体Ｃがカード挿入口２から挿入された形跡も無いのに、言い換えればカード検出用の磁気ヘッド３による検出も無いのに（ステップ：Ｓ３）、シャッタ４が開けられたことを検出した信号はＣＰＵ２０の検出時間計測部２１に送信される。検出時間計測部２１は送られてきた検出信号によって実測検出時間ｔをカウント開始し（ステップ：Ｓ５）、逐一その実測検出時間ｔを異常判定部２２に通知する。異常判定部２２は、ＲＯＭに格納されている規定検出時間Ｔを読み出し、シャッタ開閉センサ６による実測検出時間ｔとの比較を行い、実測検出時間ｔが規定検出時間Ｔの時間範囲内か超えたかを監視している（ステップ：Ｓ６）。実測検出時間ｔが規定検出時間Ｔを超えてｔ＞Ｔとなったとき（Ｙｅｓ）、異常判定部２２はそれを機構の故障などによる異常ではなく、不正行為によって発生した異常と判断して緊急作動信号を異常対応部３０に送る（ステップ：Ｓ７）。
【００３７】
また、このような異常対応をとる。かかる異常発生時、そうした事情を知らない上位装置からカードリーダ現状の装置状態を通知するよう指示を受けたり、あるいはカード取り込み許可を受けたような場合は、ＣＰＵ２０は現在そうしたカード取り扱い状況下にはなく異常事態である旨を上位装置に返答する。
【００３８】
ステップＳ８において、ＣＰＵ２０の異常判定部２２から緊急作動信号によって指示を受けると、異常対応部３０では、例えば表示部３１がカードリーダ本体１またはＡＴＭ装置にＬＣＤ画面として設けられている場合、そのＬＣＤ画面に異常が発生したことのメッセージを表示させることにより、装置管理者を含む周辺に知らせて警告する。それにより、次の顧客に当ＡＴＭ装置によるカード取引を一旦とどまらせたり、あるいはその場の不正者に対しては、それ以上不正行為を続けることを断念させる。このような異常処理と平行して、ＣＰＵ２０は異常発生した旨を上位装置に送信して即時報告し、例えば管理センターなどにおいてはオペレータを通して緊急通知がなされる。
【００３９】
一方、異常対応部３０としてカードリーダ本体１またはＡＴＭ装置に警報部３２が設けられている場合は、アラームブザーを鳴動させて異常発生を警報し、周囲の注意を喚起するとともに、不正者によるトラップ除去を促してそれ以上の不正行為を断念させる。
【００４０】
また、異常対応部３０としてシャッタ非常閉鎖部３３が設けられている場合は、シャッタ開閉用のソレノイド５に対して非常作動信号が送られ、シャッタ４を下ろして緊急閉鎖させ、顧客のカード取引を一時止めたり、不正者による不正行為を断念させる。
【００４１】
このように、異常対応部３０としては表示部３１、警報部３２およびシャッタ非常閉鎖部３３のうち、設けられたどれかを作動させることで異常に即応する。勿論、表示部３１と警報部３２を組み合わせて設けることも可能であるし、あるいはそれら３つを組み合わせて設ければ、それだけ不正防止に有効である。
【００４２】
なお、以上は本発明の好適な形態の一例として述べられたが、そうした形態に限定されるものではなく、本発明の要旨を逸脱しない範囲において種々変形させた実施形態も可能である。
【００４３】
例えば、上記の本実施形態においてはシャッタ非常閉鎖部３３として既存のソレノイド５を利用し、異常時に緊急作動させてシャッタ４を閉じる形態が説明された。しかし、トラップに硬質物体が仕掛けられて、緊急閉鎖作動させるシャッタ４がその硬質トラップのために完全に閉じないような事態が考えられる。そうした場合に対応させるべく、既存のシャッタ４およびソレノイド５とは別に、カードリーダのカード挿入口の前面部を覆って閉塞するような大型の非常専用シャッタおよびその駆動系を設ける実施形態も可能である。
【００４４】
また、次のような実施形態も可能である。カード詐取を意図したトラップが仕掛けられ、そうした異常発生を検出した場合、ＣＰＵ２０からの制御信号によって、平常時はカード取り込み方向へ正回転動作する上記搬送ベルト７やフィードローラ１０〜１２などのカード搬送系に対して、逆回転動作させることにより仕掛けられたトラップをカード挿入口２から外部に排出させるように構成することも可能である。この場合、搬送ベルト７上に沿って仕掛けられたシート状のトラップを排除するのに有効である。
【００４５】
以上の各実施形態において、上位装置からの指示を受けることなくカード取り込み処理を実行できるカード取り込み許可状態において、前述のようにシャッタ４が不正に開かれて異常と判断した時点で、カード状媒体Ｃがカード挿入口２から挿入されたとしても、それ以上内部への取り込みを行えないように禁止状態にすることができる。そのように取り込み禁止状態にすることで、上位装置はその事態を認識し、改めて上位装置からカード取り込み禁止の指示を発令しなくとも、カード状媒体Ｃをカードリーダ内部に取り込むトラブルを回避できる。
【００４６】
さらに、本実施の形態では、磁気ヘッド１５を用いて、カード状媒体Ｃの磁気ストライプに記録されている情報を読み取りまたは書き込む磁気カードリーダで説明しているが、ＩＣカードリーダに適用してもよい。
【図面の簡単な説明】
【００４７】
【図１】本発明によるカードリーダの実施形態を概略的に示す側面図である。
【図２】実施形態の構成を示す機能ブロック図である。
【図３】実施形態の異常時対応処理の流れを示す動作フローチャートである。
【符号の説明】
【００４８】
１          カードリーダ本体
２          カード挿入口
６          シャッタ開閉センサ（シャッタ開閉検出手段）
１６〜１８  カード検出センサ
２０        ＣＰＵ（制御手段）
２１        検出時間計測部
２２        異常判定部
３０        異常対応部
３１        表示部
３２        警報部
３３        シャッタ非常閉鎖部
【図１】
2006155390.tif 000003
【図２】
2006155390.tif 000004
【図３】
2006155390.tif 000005